(57)【特許請求の範囲】
【請求項１】
開き戸１に装着された錠ケース２に、バネ２５で戸枠８側の受け金具９の方向へ常時付勢されるデッドボルト３と、このデッドボルト３に形成されたラック１４に噛合するように軸支されたピニオン係合体２７と、このピニオン係合体２７を係止保持することができるように軸支されかつバネ５７で一方向に付勢された回転係合体５５と、この回転係合体５５の回転に連動するストッパー連動片６３を介し、かつ、バネ２３のバネ力によりデッドボルト３との係合が解消するロックバー２１とをそれぞれ設け、一方、戸枠８に装着された受け金具９に、作動杆５１の先端部に磁性体５２を有するソレノイド５０を設け、前記磁性体５２が回転係合体５５に設けた被磁性体６１に対向すると、前記回転係合体５５が磁性体５２と被磁性体６１との反発によりバネ５７のバネ力に抗して回転すると共に、前記ピニオン係合体２７が回転係合体５５から外れ、これによりデッドボルト３はバネ２５のバネ力により受け金具９へと自動的に前進し、また前記ロックバー２１がストッパー連動片６３を介し、バネ２３のバネ力に抗しながら該デッドボルト３に施錠状態に係合することを特徴とする非常口用電気ストライク。
【請求項２】
請求項１に於いて、ロックバー２１の先端部２１ａがデッドボルト３の凹所１２に係合することを特徴とする非常口用電気ストライク。
【請求項３】
請求項１に於いて、錠ケース２には、さらに、操作部材としてのダルマ４と、このダルマとデッドボルト３の間に位置する第１従動体３０が設けられ、前記第１従動体３０は、ダルマに係合する第１の係合杆３２、ロックバー２１の後端部に係合する第２の係合杆３３及びデッドボルトの後端部に係合する第３の係合杆３４を有し、通電時に、前記操作部材の操作力によって前記第１従動体３０を作動させ、前記ロックバー２１をデッドボルト３から係合解除させることを特徴とする非常口用電気ストライク。
【請求項４】
開き戸１Ａに装着された錠ケース２Ａに、バネ２５Ａで戸枠８Ａ側の受け金具９Ａの方向へ常時付勢されるデッドボルト３Ａと、このデッドボルト３Ａに形成されたラック１４Ａに噛合するように軸支されたピニオン係合体２
７Ａと、このピニオン係合体２７Ａを係止保持することができるように軸支されかつバネ５７Ａで一方向に付勢された回転係合体５５Ａと、この回転係合体５５Ａの回転に連動して回転するストッパー連動片６３Ａを介し、かつ、バネ２３Ａのバネ力によりデッドボルト３Ａとの係合が解消するロックバー２１Ａとをそれぞれ設け、一方、戸枠８Ａに装着された受け金具９Ａに、電磁石５２Ａを固定的に設け、この電磁石５２Ａに反発する被磁性体６１Ａを有する回転係合体５５Ａがバネ５７Ａのバネ力に抗して回転すると共に、前記ピニオン係合体２７Ａが回転係合体５５Ａから外れ、これによりデッドボルト３Ａはバネ２５Ａのバネ力により受け金具９Ａへと自動的に前進し、またロックバー２１Ａがストッパー連動片６３Ａを介し、バネ２３Ａのバネ力に抗しながら該デッドボルト３Ａに施錠状態に係合することを特徴とする非常口用電気ストライク。
【発明の詳細な説明】
【０００１】
【発明の属する技術分野】
本発明は非常口用電気ストライクに関する。本発明は、例えば特別養護老人ホームや病院などの非常口用開き戸に適する。
【０００２】
【従来の技術】
従来、特別養護老人ホームや病院などの非常口用開き戸は、火災、緊急時等の非常時以外の時は施錠状態になっている場合が多い。しかして、非常口用開き戸は、開き戸を閉めた際に管理上の観点から確実に施錠すべきである反面、火災など非常事態の場合には、例えば遠隔制御装置の制御により、錠の施錠状態を解き、直ちに開き戸をあけることができることが望ましい。
【０００３】
【発明が解決しようとする課題】
しかしながら、従来、特別養護老人ホームや病院などの非常口用開き戸に於いて、錠ケースにデッドボルトを有する開き戸を閉じた際にデッドボルトを自動的に受け金具に進入させ、かつ、施錠状態にすることができる反面、非常事態の場合に自動的にデッドボルトの施錠状態を解くことができる非常口用電気ストライクが存在しない。
【０００４】
そこで、請求項１または請求項４記載の発明は、開き戸を閉じた際にデッドボ
ルトを自動的に受け金具に進入させ、かつ、該デッドボルトを施錠することができ、一方、火災など非常事態の場合に遠隔制御装置の制御により、デッドボルトの施錠状態を解くことができる非常口用電気ストライクを提供することである。
【０００５】
【課題を解決するための手段】
本発明の非常口用電気ストライクは、開き戸１に装着された錠ケース２に、バネ２５で戸枠８側の受け金具９の方向へ常時付勢されるデッドボルト３と、このデッドボルト３に形成されたラック１４に噛合するように軸支されたピニオン係合体２７と、このピニオン係合体２７を係止保持することができるように軸支されかつバネ５７で一方向に付勢された回転係合体５５と、この回転係合体５５の回転に連動するストッパー連動片６３を介し、かつ、バネ２３のバネ力によりデッドボルト３との係合が解消するロックバー２１とをそれぞれ設け、一方、戸枠８に装着された受け金具９に、作動杆５１の先端部に磁性体５２を有するソレノイド５０を設け、前記磁性体５２が回転係合体５５に設けた被磁性体６１に対向すると、前記回転係合体５５が磁性体５２と被磁性体６１との反発によりバネ５７のバネ力に抗して回転すると共に、前記ピニオン係合体２７が回転係合体５５から外れ、これによりデッドボルト３はバネ２５のバネ力により受け金具９へと自動的に前進し、また前記ロックバー２１がストッパー連動片６３を介し、バネ２３のバネ力に抗しながら該デッドボルト３に施錠状態に係合することを特徴とする。
【０００６】
上記構成に於いては、磁性体を備えたソレノイドに代え、電磁石５２Ａを受け金具９Ａ内に設けても良い。
【０００７】
【発明の実施の形態】
以下、図面に示す本発明の実施の形態を、非常口に於ける開き戸に取り付けたデッドボルト等を有する錠ケースと、前記デッドボルト等に対する戸枠側に取り付けた磁性体を有するソレノイド又は電磁石との関係で説明する。
【０００８】
図１ないし図７に基づき本発明の使用状態の一例について説明する。１は、例えば非常口の開き戸である。２は開き戸１の開口する側部内に固定的に装着された錠ケースで、この錠ケース２内にはデッドボルト３等の施解錠用各部材が取り付けられている。デッドボルト３は後述する操作部材の駆動力により、錠ケース２に適宜に案内されながら錠ケース２のフロントを基準に水平方向へ出没する。操作部材としては、本実施例では、キーやサムターンで回動するダルマ４又はレバーハンドル１８によって回動するハンドルカム５が用いられている。
【０００９】
そこで、まずこのデッドボルト３について、図４に基づき説明する。６はデッドボルト３の先端部で、この先端部６は、施錠時、錠ケース２のフロント７の開口から突出し、戸枠８側に設けられたボックス状受け金具９の開口へと進入する。そして、受け金具９の内壁面に固定的に設けられたマイクロスイッチ１０と当接する。１１はデッドボルト３の中央部で、この中央部１１は前記先端部６よりも幅広に形成され、施錠時、先端部６と交差するその上下の垂直面１１ａ、１１ｂは、フロント７の内面と当接する。１２は先端部６と中央部１１の堺である前記上側の垂直面１１ａの真下に相当する部位に形成された切欠部あるいは凹所で、この凹所１２には後述するロックバー２１の先端部２１ａが係脱する。１３は中央部１１の上部寄りの部位に形成された案内長孔で、この案内長孔１３はデッドボルト３の長さ方向に沿って形成されている。１４は中央部１１の上部に形成されたラックである。１５はデッドボルト３の後端部で、この後端部１５は先端部６よりも幅狭に形成され、デッドボルト３の長さ方向に延びている。１６は中央部１１と後端部１５の両方にかけてデッドボルト３の長さ方向に形成されたバネ収納部である。１７はデッドボルト３の後端部に一体的に設けられた係合片で、この係合片は後述する操作部材と適宜に係合する。
【００１０】
次に上記デッドボルト３と関わり合う各部材について説明する。２０はデッドボルト３の案内長孔１３に挿通されたガイドピンで、このガイドピン２０は錠ケース２に横設軸架されている。２１はこのガイドピン２０に揺動可能に設けられたロックバーで、このロックバー２１の任意に折曲形成された先端部２１ａは前述した凹所１２と係脱し、一方、その後端部２１ｂは後述する第１従動体３０と係合可能である。ロックバー２１は略中央部がガイドピン２０に軸支されているが、その長さは、デッドボルト３の先端部６と中央部１１をプラスした程度である。そして、ロックバー２１の先端部２１ａ寄りの部位には交差方向に上方に延びるレバー部としての短杆部２２が形成されている。
【００１１】
ところで、このロックバー２１とガイドピン２０との関係について言えば、両方の部材は一体又は別体のいずれでも良い。またロックバー２１とデッドボルト３の凹所１２と係脱関係でいえば、先端部２１ａの形状はロックバー２１の装着位置との関係で適宜に形成し得る。したがって、ロックバー２１をデッドボルト３にどのように設けるかと言う構成は、本発明では重要な事項ではない。なお、ロックバー２１は、ガイドピン２０に中央部が巻装されたロックバー用バネ２３により、図２を基準にすると、時計（係合解除）方向に適宜付勢されている。
【００１２】
２５はデッドボルト３のバネ収納部１６に収納されたデッドボルト用バネで、このバネ２５の後端部は錠ケース２の内壁面に固定されたバネ支持片２６に取付けられ、デッドボルト３を受け金具９の方向へ付勢する。
【００１３】
２７はデッドボルト３の中央部１１の上方に位置するように錠ケース２に軸２８を介して軸支されたピニオン係合体で、このピニオン係合体２７は全体としては頭部２７ａと首部２７ｂとから成り、前記頭部２７ａにはデッドボルト３のラック１４と噛合するピニオン２９が設けられ、一方、前記首部２７ｂの端部はノコギリ状に形成されていると共に、他の部材と係脱可能である。
【００１４】
３０はデッドボルト３の後端部１５とダルマ４との間に位置するように軸３１を介して錠ケース２に軸支された第１従動体で、この第１従動体３０は操作部材（駆動体）としてのダルマ４の駆動力により、軸３１を支点に回転する。この第１従動体３０は、軸支された円形の中央部３０ａから３つの係合杆が半径方向に延びている。しかして、第１の係合杆３２はダルマ４の突起部４ａと係合し、また第２の係合杆３３は前述したロックバー２１の後端部２１ｂと係合可能であり、さらに、第３の係合杆３４はデッドボルト３の係合片１７と係合可能である。
【００１５】
一方、３５はデッドボルト３の後端部１５とハンドルカム５との間に位置する
ように軸３６を介して錠ケース２に軸支された第２従動体で、この第２従動体３５は操作部材（駆動体）としてのハンドルカム５の駆動力により、軸３６を支点に回転する。この第２従動体３５はレバーハンドル１８との関係で基部３７にやや弧状の切欠部３８を有する。また前記基部３７の適宜箇所にはハンドルカム５と係合する摺接ピン３９が設けられていると共に、基部３７にはデッドボルト３の係合片１７と係合可能な引き戻しアーム４０が設けられている。
【００１６】
次に通電時、デッドボルト３を自動的に受け金具９に進入させ、かつ、該デッドボルト３を施錠することができるストッパー（施錠）機構について説明する。
【００１７】
すなわち、５０は受け金具９内に縦方向に配設されたソレノイドで、このソレノイド５０は図示しない遠隔制御装置と電気的に接続している。５１はソレノイド５０の作動杆で、上下方向に伸縮動する突出下端部には磁性体５２が設けられている。そして、この磁性体５２は、図２で示すようにソレノイド５０が通電状態の場合に於いて、作動杆５１がバネ部材５３のバネ力に抗して上方方向に収縮すると、受け金具９に形成した窓部５４に臨むことができる。
【００１８】
一方、５５はソレノイド５０と対向するように錠ケース２内のデッドボルト３
よりも上方に配設された回転係合体である。この回転係合体５５は、本実施例では錠ケース２に横軸５６を介して枢支され、かつ、図２を基準にすると回転板用バネ５７で時計方向に付勢された回転板５８と、この回転板５８に下方方向に延設するように設けられた前方のアーム５９と、この前方のアーム５９に対向するように回転板５８に設けられた後方の係止アーム６０と、前記前方のアーム５９の下端部に固定的に設けられ、かつ、ソレノイド側の磁性体５２の極性に対応して反発する被磁性体６１とから成る。
【００１９】
そして、前記係止アーム６０は、非通電時に、デッドボルト３が操作部材４、
５の駆動力により錠ケース２の内部へと後退した場合ピニオン係合体２７と係合する。なお、錠ケース２のフロント７にも受け金具９の窓部５４に対応する窓部６２が形成されている。
【００２０】
６３は回転係合体５５の前方のアーム５９とロックバー２１との間に位置するように錠ケース２に軸６４を介して枢支された逆「く」の字状ストッパー連動片である。このストッパー連動片６３は、中央部から前方のアーム５９の被磁性体６１に当接するように延びる連動アーム６５と、中央部からロックバー２１の短杆部２２に当接するように延びるストッパーアーム６６とを有する。このストッパー連動片６３は、通電時に於いて、被磁性体６１が磁性体５２に対して反発すると、ロックバー２１の先端部２１ａをデッドボルト３の凹所１２に係合させ、その施錠を間接的に維持する機能がある。
【００２１】
上記構成に於いて、まず図３がソレノイド５０の非通電時であり、かつ、手動操作によってデッドボルト３を錠ケース２内に後退させ、その解錠状態をラック１４と噛合するピニオン係合体２７を介し、バネ５７で一方向に付勢される回転係合体５５に保持させた場合を示す。このデッドボルト３の解錠は、例えば火災など非常時の場合に遠隔制御装置の制御によりなされる。
【００２２】
しかして、ソレノイド５０が非通電状態になると、作動杆５１は矢印で示すよ
うにバネ部材５３のバネ力により下方に伸張する。その結果、磁性体５２が被磁性体６１から離れるので、回転係合体５５は矢印で示すように回転板用バネ５７のバネ力により時計方向へ回転する。回転係合体５５が時計方向へ回転すると、これに追動してストッパー連動片６３が反時計方向へ回転すると共に、ロックバー２１はそのバネ２３のバネ力により時計方向へ回転し、デッドボルト３の凹所１２から外れる。
【００２３】
そこで、例えばキー操作によりダルマ４を時計方向に回転すると、これにより第１従動体３０が反時計方向に回転し始め、デッドボルト３はそのバネ２５のバネ力に抗して錠ケース２内へと後退する。この時ピニオン係合体２７が反時計方向へ回転し、やがて、その首部２７ｂは回転係合体５５の係止アーム６０に係止される。これによりデッドボルト３はピニオン係合体２７を介してバネ５７で一方向に付勢される回転係合体５５に維持され、いわゆる解錠状態が保たれる。
【００２４】
なお、デッドボルト３を錠ケース２内へと後退させ、かつ、ピニオン係合体２
７を回転係合体５５の係止アーム６０に係止させる場合には、図７で示すようにレバーハンドル１８によりハンドルカム５を駆動させ、これにより第２従動体３５を時計方向に回転させることによっても可能である。
【００２５】
一方、デッドボルト３を図２で示すように受け金具９に自動的に進入させ、かつ、ロックバー２１を介して施錠する場合には、まず遠隔制御装置の制御によりソレノイド５０を通電状態にする。しかして、ソレノイド５０が通電状態になると、その作動杆５１が矢印で示すようにバネ部材５３のバネ力に抗して収縮し、その結果、受け金具９側の磁性体５２はその窓部５４へと移動し、錠ケース２側に位置する回転係合体５５の被磁性体６１に対向接近する。
【００２６】
そうすると、磁性体５２と被磁性体６１は互いに反発し合うので、回転係合体
５５は矢印で示すようにバネ５７のバネ力に抗して反時計方向に回転する。その時回転係合体５５と共に係止ロック機構を構成するピニオン係合体２７が回転係合体５５の係止アーム６０から外れる。また前方のアーム５９の被磁性体６１はフロント７の窓部６２から離れるので、ストッパー連動片６３は矢印で示すように時計方向へ回転する。その結果、デッドボルト３はそのバネ２５のバネ力により受け金具９へと前進し、その先端部６がマイクロスイッチ１０に接触する。図５で示すように、この時ストッパー連動片６３を介し、かつ、バネ２３のバネ力に抗して逆方向に回転させられるロックバー２１の先端部２１ａは、デッドボルト３の凹所１２に係合し、デッドボルト３は、ソレノイド５０、回転係合体５５、ストッパー連動片６３及びロックバー２１で構成されるストッパー機構で完全にロックされる。したがって、開き戸１を自由に開けることができない。
【００２７】
なお、この通電状態の場合に於いても、本実施例では操作部材としてのダルマ４の突起部４ａに係合し、かつ、ロックバー２１の後端部２１ｂに係合する第１従動体３０が設けられているので、図６で示すようにダルマ４をキー操作によって時計方向へ回転すると、該第１従動体３０が矢印で示す反時計方向へ回転し、この時ロックバー２１は第２の係合杆３３を介してデッドボルト３から外れる。したがって、ダルマ４を時計方向へ回転することによってもデッドボルト３を錠ケース２内へ後退させることがてきる。
【００２８】
【実施例】
以下、通電により自動的に施錠することができる非常口用電気ストライクの実施例を列挙する。なお、実施例の説明に於いては、図面に発明の実施の形態で説明した符号をそのまま付し、あるいは同様の符号を付し、重複する説明を省略する。
【００２９】
まず図２ないし図７に基づき、本発明の実施の形態で説明した第１実施例を説明する。この第１実施例の非常口用電気ストライクは、非通電時手動解錠の場合に於いて、開き戸１に装着された錠ケース２に、バネ２５で戸枠８側の受け金具９の方向へ常時付勢されるデッドボルト３と、このデッドボルト３に形成されたラック１４に噛合するように軸支されたピニオン係合体２７と、このピニオン係合体２７を係止保持することができるように軸支されかつバネ５７で一方向に付勢された回転係合体５５と、この回転係合体５５の回転に連動して回転するストッパー連動片６３を介し、かつ、バネ２３のバネ力によりデッドボルト３との係合が解消するロックバー２１とをそれぞれ設け、一方、戸枠８に装着された受け金具９に、作動杆５１の先端部に磁性体５２を有するソレノイド５０を設け、該ソレノイド５０が通電状態になって前記磁性体５２が回転係合体５５に設けた被磁性体６１に対向すると、磁性体５２と被磁性体６１は互いに反発することにより該回転係合体５５がバネ５７のバネ力に抗して回転すると共に、前記ピニオン係合体２７が回転係合体５５から外れ、これによりデッドボルト３はバネ２５のバネ力により受け金具９へと自動的に前進する。
【００３０】
そして、ソレノイド５０の通電時、受け金具９へと前進したデッドボルト３は、反発回転する回転係合体５５、この回転係合体５５に対して連動回転するストッパー連動片６３、このストッパー連動片６３に対してバネ２３のバネ力に抗しながら連動回転するロックバー２１とで構成するストッパー機構により、施錠（ロック）される。しかして、具体的な細部の構成は、発明の実施の形態で詳細に説明したので省略する。
【００３１】
次に図８及び図９は第２実施例の非常口用電気ストライクである。この非常口用電気ストライクは、開き戸１Ａに装着された錠ケース２Ａに、バネ２５Ａで戸枠８Ａ側の受け金具９Ａの方向へ常時付勢されるデッドボルト３Ａと、このデッドボルト３Ａに形成されたラック１４Ａに噛合するように軸支されたピニオン係合体２７Ａと、このピニオン係合体２７Ａを係止保持することができるように軸支されかつバネ５７Ａで一方向に付勢された回転係合体５５Ａと、この回転係合体５５Ａの回転に連動して回転するストッパー連動片６３Ａを介し、かつ、バネ２３Ａのバネ力によりデッドボルト３Ａとの係合が解消するロックバー２１Ａとをそれぞれ設け、一方、戸枠８Ａに装着された受け金具９Ａに、電磁石５２Ａを固定的に設け、この電磁石５２Ａが通電状態の場合に、これに反発する被磁性体６１Ａを有する回転係合体５５Ａがバネ５７Ａのバネ力に抗して回転すると共に、前記ピニオン係合体２７Ａが回転係合体５５Ａから外れ、これによりデッドボルト３Ａはバネ２５Ａのバネ力により受け金具９Ａへと自動的に前進し、またロックバー２１Ａがストッパー連動片６３Ａを介し、バネ２３Ａのバネ力に抗しながら該デッドボルト３Ａに施錠状態に係合する。
【００３２】
したがって、この第２実施例は、作動杆の突出先端部に磁性体を有するソレノイドに代えて電磁石５２Ａにした点が第１実施例と異なる。
【００３３】
【発明の効果】
以上の説明から明らかなように、本発明にあっては次に列挙するような効果がある。
（１）開き戸を閉じた際に戸枠側に取り付けたソレノイドあるいは電磁石に通電すると、磁性体５２（又は電磁石５２Ａ）と被磁性体６１、６１Ａは互いに反発し、これにより該回転係合体５５、５５Ａがバネ５７、５７Ａのバネ力に抗して回転するので、ピニオン係合体２７、２７Ａが回転係合体５５、５５Ａから外れ、こりによりデッドボルト３、３Ａはバネ２５、２５Ａのバネ力により受け金具９、９Ａへと自動的に前進する。
（２）そして、ソレノイド５０（又は電磁石５２Ａ）の通電時、受け金具９、９Ａへと前進したデッドボルト３、３Ａは、反発回転する回転係合体５５、この回転係合体５５に対して連動回転するストッパー連動片６３、このストッパー連動片６３に対してバネ２３のバネ力に抗しながら連動回転するロックバー２１とで構成するストッパー機構により、施錠（ロック）される。
（３）一方、火災など非常事態の場合に遠隔制御装置の制御により、自動的にデッドボルトの施錠状態のロックを解くことができるので、操作部材（ダルマ４又はハンドルカム５）を手動で操作することにより、直ちに開き戸を開くことができる。
（４）回転係合体５５、５５Ａに、非通電時ピニオン係合体２７、２７Ａを係止させる機能と、一方、通電時デッドボルト３、３Ａを他の部材を介してストッパーさせる機能とを持たせた。したがって、構成する部品が１つでも少なくて済む。
【図面の簡単な説明】
図１ないし図７は本発明の実施の形態を説明するための各説明図。特に図２ないし図７は本発明の第１実施例の各説明図。図８及び図９は本発明の第２実施例を示す各説明図。
【図１】第１実施例を用いた実施の形態を説明するための説明図。
【図２】図１に於ける第１実施例の概略説明図（通電時自動施錠の場合）。
【図３】図１に於ける第１実施例の概略説明図（非通電状態手動解錠の場合）。
【図４】要部（デッドボルト）の斜視図。
【図５】回転係合体、ストッパー連動片、ロックバー、デッドボルトとの関係を示す概略説明図。
【図６】操作部材の一例としてのダルマ、第１従動体、ストッパー連動片、デッドボルト、ピニオン係合体との関係を示す説明図。
【図７】他の操作部材でデッドボルトを引き戻す概略説明図。
【図８】第２実施例の概略説明図（通電時自動施錠の状態の場合）。
【図９】第２実施例の概略説明図（非通電時手動解除の状態の場合）。
【符号の説明】
１…開き戸、２…錠ケース、３…、４…ダルマ、５…ハンドルカム、６…先端部、７…フロント、８…戸枠、９…受け金具、１１…中央部、１２…凹所、１４…ラック、１５…後端部、１６…バネ収納部、１７…係合片、２０…ガイドピン、２１…ロックバー、２２…短杆部、２３、２５、５７…バネ、２７…ピニオン係合体、２８、３１、３６、６４…軸、３０…第１従動体、３５…第２従動体、５０…ソレノイド、５１…作動杆、５２…磁性体、５４、６２…窓部、５５…回転係合体、５９…前方のアーム、６０…後方の係止アーム、６１…被磁性体、６３…ストッパー連動片、６５…連動アーム、６６…ストッパーアーム。
【図１】
0003807762.tif 000002
【図２】
0003807762.tif 000003
【図３】
0003807762.tif 000004
【図４】
0003807762.tif 000005
【図５】
0003807762.tif 000006
【図６】
0003807762.tif 000007
【図７】
0003807762.tif 000008
【図８】
0003807762.tif 000009
【図９】
0003807762.tif 000010